(57)【要約】【課題】  容易に施工が可能であり天井裏や壁裏に腐食性ガスの侵入を防止できるスプリンクラーヘッド付属品およびスプリンクラーヘッドを提供する。【解決手段】  天井裏や壁裏に設置された給水配管３０と接続されるスプリンクラーヘッド１０に用いられ、スプリンクラーヘッド１０と天井面または壁面との間に挟まれるリング状をしたガスケットであり、（１）ガスケット２０の内周はスプリンクラーヘッドに挿通され、ガスケットの外周側には天井面または壁面側に屈曲した傾斜部２３を備えたプリンクラーヘッド付属品または（２）ガスケット６０の外縁６２から内縁６１側に離間した位置から給水配管３０の方向に延びる周壁部６３を有するスプリンクラーヘッド付属品である。【選択図】    図１
2019072163.tif 000002
【特許請求の範囲】
【請求項１】
天井裏や壁裏に設置された給水配管と接続されるスプリンクラーヘッドに用いられ、スプリンクラーヘッドと天井面または壁面との間に挟まれるリング状をしたガスケットであり、ガスケットの内周はスプリンクラーヘッドに挿通され、ガスケットの外周側には天井面または壁面側に屈曲した傾斜部を備えていることを特徴とするスプリンクラーヘッド付属品。
【請求項２】
天井裏や壁裏に設置された給水配管と接続されるスプリンクラーヘッドに用いられ、スプリンクラーヘッドと天井面または壁面との間に挟まれるリング状をしたガスケットであり、ガスケットの外縁から内縁側に離間した位置から給水配管の方向に延びる周壁部を有することを特徴とするスプリンクラーヘッド付属品。
【請求項３】
ガスケットは、スプリンクラーヘッドのノズル軸と交差した平面上に設置され、該平面はノズルを有する本体に設けられている請求項１または請求項２記載のスプリンクラーヘッド付属品。
【請求項４】
ガスケットはスプリンクラーヘッドの外周に装着されるシーリングプレートに設けられた平面上に設置される請求項１または請求項２記載のスプリンクラーヘッド付属品。
【請求項５】
ガスケットの周壁部は天井または壁面に穿設されたスプリンクラーヘッドが挿通される穴の内部に差し込まれる請求項２〜４の何れか１項記載のスプリンクラーヘッド付属品。
【請求項６】
周壁部の長さは天井板や壁板の厚さよりも長い請求項２〜請求項５の何れか１項記載のスプリンクラーヘッド付属品。
【請求項７】
請求項３〜請求項６に記載のスプリンクラーヘッド付属品を備えるスプリンクラーヘッドであり、スプリンクラーヘッドが設置される前記平面に、ガスケットの外径よりも大径である凹部を設置したことを特徴とするスプリンクラーヘッド。
【発明の詳細な説明】
【技術分野】
【０００１】
本発明は、消火用のスプリンクラーヘッドに設置される付属品およびスプリンクラーヘッドに関するものである。
【背景技術】
【０００２】
消火用スプリンクラーヘッドは、火災の際に水を散布して消火を行うものであり、天井面や壁面に所定間隔で設置されている。スプリンクラーヘッドは天井裏や壁裏の配管と接続されている。この配管は水源まで接続されており火災時には水源からスプリンクラーヘッドにポンプによって連続的に送水が行われる。
【０００３】
スプリンクラーヘッドは消防法で定められた設置義務のあるビルや共同住宅、ショッピングセンターに設置される。また屋内プールや温泉ホテルに設置される場合があり、屋内プールの塩素雰囲気や温泉ホテルの温泉成分に含まれる腐食性ガスによってスプリンクラーヘッドや配管が腐食するおそれがある。
【０００４】
そのため、スプリンクラーヘッドや配管等にステンレス材や耐食メッキ等を施して腐食を防止したスプリンクラーヘッドや配管がある（例えば、特許文献１、２参照）が、腐食を完全に防ぐことは困難であり、定期的に腐食状態を点検して腐食の状況により設備機器を交換している。
【０００５】
しかしながら、天井裏や壁裏に設置された配管は容易に目視点検することが困難となっている。このため、天井裏や壁裏に腐食性ガスが及ばないように天井面とスプリンクラーヘッドの間の隙間を液状ガスケットで塞いでいるケースがある。
【０００６】
しかしながら液状ガスケットの量が多すぎると固化する前に垂れ流れてスプリンクラーヘッドの表面に付着するおそれがある。この垂れ流れた液状ガスケットが固化するとスプリンクラーヘッドにおいて火災時に分解動作する感熱分解部の動きの妨げになったり、あるいは散水孔を塞いで均一な散水ができなくなるおそれがある。逆に、液状ガスケットの量が不足したり均一に塗布しないと十分な機密性が得られない可能性がある。
【先行技術文献】
【特許文献】
【０００７】
【特許文献１】特開２００３−２６９６６１号公報
【特許文献２】特開平１１−２２９１６２号公報
【発明の概要】
【発明が解決しようとする課題】
【０００８】
そこで本発明では、上記問題に鑑み、容易に施工が可能であり天井裏や壁裏に腐食性ガスの侵入を防止できるスプリンクラーヘッド付属品およびスプリンクラーヘッドを提供することを目的としている。
【課題を解決するための手段】
【０００９】
上記の目的を達成するために、本発明は以下のスプリンクラーヘッド付属品を提供する。
すなわち、天井裏や壁裏に設置された給水配管と接続されるスプリンクラーヘッドに用いられ、スプリンクラーヘッドと天井面または壁面との間に挟まれるリング状をしたガスケットであり、ガスケットの内周はスプリンクラーヘッドに挿通され、ガスケットの外周側には天井面または壁面側に屈曲した傾斜部を備えたプリンクラーヘッド付属品として構成できる。
【００１０】
上記のスプリンクラーヘッド付属品は、スプリンクラーヘッドと天井面または壁面との間に挟まれるリング状をしたガスケットである。ガスケットの内周は給水配管と接続するスプリンクラーヘッドのネジ部に挿通されている。ガスケットの外周側には天井面または壁面側に屈曲した傾斜部を備えており、スプリンクラーヘッドのネジ部を給水配管に螺合させるとスプリンクラーヘッドと天井面または壁面の間に設置されたガスケットの傾斜部が押し潰される。その際、外縁が天井面や壁面と密着して高い気密性を得ることができる。
【００１１】
また本発明は、天井裏や壁裏に設置された給水配管と接続されるスプリンクラーヘッドに用いられ、スプリンクラーヘッドと天井面または壁面との間に挟まれるリング状をしたガスケットであり、ガスケットの外縁から内縁側に離間した位置から給水配管の方向に延びる周壁部を有するスプリンクラーヘッド付属品として構成できる。
【００１２】
上記構成のスプリンクラーヘッド付属品は、ガスケットの外縁から内縁側に離間した位置から給水配管の方向に延びる周壁部を有しており、周壁部は天井または壁面に穿設されたスプリンクラーヘッドが挿通される穴の内部に差し込まれて設置される。スプリンクラーヘッドのネジ部を給水配管に螺合させるとスプリンクラーヘッドと天井面または壁面の間に設置されたガスケットの外縁が押し潰される。このとき天井面や壁面に意匠的な凹凸があると十分な気密性を得ることができない可能性があるが、周壁部の外周面が穴の内周面と接触するので高い気密性が得られる。また、周壁部の長さを天井板や壁板の厚さよりも長くすると気密性がより高まる。
【００１３】
ガスケットは、スプリンクラーヘッドのノズル軸と交差した平面上に設置することができる。尚、この平面はノズルを有する本体に構成されている。あるいは、ガスケットはスプリンクラーヘッドの外周に装着されるシーリングプレートに設けられた平面上に設置してもよい。
【００１４】
また本発明は、上記に記載のスプリンクラーヘッド付属品を備えるスプリンクラーヘッドであり、スプリンクラーヘッドが設置される前記平面に、ガスケットの外径よりも大径である凹部を設置したスプリンクラーヘッドであり、凹部を設置したことで天井面または壁面とスプリンクラーヘッドの間に設置されたガスケットを目立たなくすることができ意匠性が良くなる。
【発明の効果】
【００１５】
以上説明したように本発明によれば、スプリンクラーヘッドと天井面または壁面との間にガスケットを用いることで天井裏に腐食性ガスの侵入を防止できる。また前記ガスケットを備えたスプリンクラーヘッドを実現することができる。
【図面の簡単な説明】
【００１６】
【図１】第１実施形態のスプリンクラーヘッド付属品の設置前の状態図。
【図２】図１における設置後の状態図。
【図３】図２の変形例を示す図（一部断面）。
【図４】第２実施形態のスプリンクラーヘッド付属品の設置前の状態図。
【図５】図４における設置後の状態図。
【発明を実施するための最良の形態】
【００１７】
第１実施形態（図１〜図３）
図１に示す本発明の第１実施形態は、スプリンクラーヘッド１０、ガスケット２０、給水配管３０、天井板４０を有する。
【００１８】
スプリンクラーヘッド１０は、マルチ型のスプリンクラーヘッドであり上端側に給水配管３０と接続するネジ部１１を備えており、ネジ部１１より下側は室内側に露出している（図２参照）。ネジ部１１は本体１２に設けられており、ネジ部１１の内側はノズル１３となっている。ノズル１３の出口側（下側）には椀型のデフレクター１４が設置されている。デフレクター１４の側面には複数の散水穴１５が形成されており、給水配管１３から供給された水はノズル１３を通過してデフレクター１４の散水穴１５から四方に飛散される。
【００１９】
常時において、ノズル１３は図示しない弁により閉鎖されており、弁は図示しない感熱分解部によって支持されている。弁および感熱分解部の構造については公知（例えば、実開平３−２４１５４号公報、特開平７−２８４５４５号公報等）でありここでの説明は省略する。
【００２０】
ガスケット２０は、リング形状をしている。ガスケット２０は弾性を有する金属または樹脂やゴムにより構成されている。特に耐腐食性が要求される場合にはシリコンゴムを用いるのが好ましい。ガスケット２０の内縁２１は、スプリンクラーヘッド１０のネジ部１１に挿通され、本体１２に形成されたノズル軸Ａと交差する平面１２ａに載置される。ガスケット２０の外周側には、天井板４０側に屈曲した傾斜部２３を備えており、図１の設置前の状態において外縁２２は内縁２１付近の平面に対して給水配管３０側に離間している。これにより図２に示すようにネジ部１１を給水配管３０に螺合させた際に傾斜部２３が弾性によって変形して外縁２２が天井板４０を押圧して機密性が高まる。
【００２１】
あるいは図３に示すように、スプリンクラーヘッド１０の平面１２aにガスケット２０の外径よりも大きい内径をした凹部１２ｂを設置して構成可能である。凹部１２ｂの内側にガスケット２０を収容させてネジ部１１を給水配管３０と螺合させると、天井板４０と凹部１２ｂの間にガスケット２０が配置され、ガスケット２０が目立たなくなり意匠性が良好となる。
【００２２】
給水配管３０は、天井板４０の裏側（天井裏）に設置されており、末端にはスプリンクラーヘッド１０のネジ部１１と螺合可能な図示しないネジ部を有する。天井板４０にはスプリンクラーヘッド１０のネジ部１１が通過可能な穴４１が穿設されている。天井板４０の室内側の面とスプリンクラーヘッド１０の平面１２の間にガスケット２０が挟持される。
【００２３】
次に上記のガスケット２０の設置とスプリンクラーヘッド１０を給水配管３０に接続する手順を説明する。
【００２４】
給水配管３０は天井裏に配置されており、天井板４０の穴４１の奥に給水配管３０の末端が配置されている。先ず、スプリンクラーヘッド１０のネジ部１１にガスケット２０を挿通させて内縁２１が本体１２に載置された状態にする。次にスプリンクラーヘッド１０をレンチ等の工具を用いて給水配管３０と接続させる。ネジ部１１を給水配管３０に螺合させていくと、ガスケット２０の外縁２２が天井板４０と接触する。さらにネジ部１１を締め込むとガスケット２０は弾性変形して外縁２２が天井板４０を押圧して機密性が高まる。本体１２のガスケット２０が載置された面が天井板４０と近接する位置まで到達したらレンチを外して作業を終了する。
【００２５】
第２実施形態（図４〜図５）
第２実施形態では、天井板４０に意匠的な凸凹がある場合に適したガスケット６０について説明する。また、スプリンクラーヘッド５０は埋込型スプリンクラーヘッドを用いている。尚、第１形態と構成が同じ箇所には同符号を付して詳細な説明は省略する。
【００２６】
スプリンクラーヘッド５０は、下端側のみが天井板４０の穴４１から室内側に突出して設置されている。スプリンクラーヘッド５０の内部構造については公知であり、前述の特開平７−２８４５４５公報等に記載されているので、ここでの詳細な説明は省略する。
【００２７】
図４において、穴４１を室内側から隠すためにシーリングプレート５１がスプリンクラーヘッド５０に設置される。シーリングプレート５１はスプリンクラーヘッド５０の外周部に形成された螺旋溝５２と係合される。シーリングプレート５１は筒部５３とプレート部５４から構成され、筒部５３の内側には螺旋溝５２と係合可能な突起５５が複数設置されている。シーリングプレート５１をスプリンクラーヘッド５０の下側から挿通して回転させると、突起５５が螺旋溝５２に沿って移動してプレート部５４の位置を調節することができる。
【００２８】
プレート部５４は筒部５３の下端に設置されており、その外径は穴４１よりも大径となっている。プレート部５４の筒部５３側の面には、ガスケット６０が収容される凹部１２ｂが設けられている。
【００２９】
ガスケット６０はリング状をしており、第１実施形態と同様に弾性を有する材料にて構成されている。ガスケット６０の内縁６１は筒部５３に挿通され、凹部１２ｂに載置される。ガスケット６０の外縁６２から離間した位置には、給水配管３０の方向に延びる周壁部６３が設置されている。周壁部６３は筒部５３に沿って設置されており、周壁部６３と筒部５３の間は離間している。周壁部６３の外周径は穴４１の内径と同じか、それよりも僅かに大径となっており、周壁部６３を穴４１に差し込んだときに周壁部６３と穴４１の間に隙間が生じないように構成されている。これにより穴４１を密閉して気密性を確保できる。
【００３０】
天井板４０は、室内側の面に意匠的なスリット４２が形成されている。そのため、第１実施形態のガスケット２０では十分な気密性が得られない可能性があるので、第２実施形態のガスケット６０では周壁部６３により穴４１の内周と周壁部６３の外周を接触させて気密性を高めている。
【００３１】
続いて第２実施形態のガスケット６０の設置とスプリンクラーヘッド５０を給水配管３０に接続する手順を説明する。
【００３２】
スプリンクラーヘッド５０は埋込型スプリンクラーヘッドであり、天井板４０が設置される前に給水配管３０と接続された状態にある。このときシーリングプレート５１はスプリンクラーヘッド６０にまだ取付られていない。次に天井板４０が設置されるが、天井板４０には先に穴４１が穿設されており、スプリンクラーヘッド５０の下端を穴４１に挿通させて室内側に露出させている。
【００３３】
天井板４０を設置した後、シーリングプレート５１をスプリンクラーヘッド５０に係合させる。このとき、ガスケット６０を第１実施形態と同様に凹部１２ａに載置しておく。シーリングプレート５１をスプリンクラーヘッド５０の下側から挿通して回転させ、突起５５を螺旋溝５２に沿って移動させてスプリンクラーヘッド５０とシーリングプレート５１を係合させる。
【００３４】
シーリングプレート５１をさらに回転すると、周壁部６３が穴４１に差し込まれる。またガスケット６０の外縁６２は天井板４０とプレート部５４に挟まれ、押し潰された状態になる。さらにシーリングプレート５１を回転させ、プレート部５４が天井板４０と近接する位置まで到達したら作業を完了する。
【００３５】
上記においては、ガスケット６０は第１実施形態と同様に凹部１２ａに載置させた状態で天井板４０の穴４１に設置されたが、シーリングプレート５１をスプリンクラーヘッド５０に係合させる前の段階で穴４１に周壁部６３を挿通させておくこともできる。その際、図５に点線で示すように周壁部６３の先端外周にリブ６３ａを設置しておくとガスケット６０が穴４１から脱落することを防止できる。
【００３６】
以上、本発明の実施形態について説明してきたが、これに限定されるものではなく、第１実施形態のガスケット２０をスプリンクラーヘッド５０に適用することも可能であるし、第２実施形態のガスケット６０をスプリンクラーヘッド１０にも適用可能である。
【００３７】
また第２実施形態のガスケット６０において、周壁部６３は内縁６１と外縁６２の中間に設置されているが、周壁部６３の内周径を内縁６１の内径と同じにして構成してもよい。
【符号の説明】
【００３８】
１０、５０  スプリンクラーヘッド
１１  ネジ部
１２  本体
１３  ノズル
１４  デフレクター
１５  散水穴
２０、６０  ガスケット
２１、６１  内縁
２２、６２  外縁
２３  傾斜部
３０  給水配管
４０  天井板
４１  穴
４２  スリット
５１  シーリングプレート
６３  周壁部
【図１】
2019072163.tif 000003
【図２】
2019072163.tif 000004
【図３】
2019072163.tif 000005
【図４】
2019072163.tif 000006
【図５】
2019072163.tif 000007